(57)【要約】 【課題】ルアーのローリング動作およびウォブリング動作といったルアーアクションを更に小魚に近づけた微細なものとするとともに、特に釣り人がラインを引かない状態であってもルアーアクションを起こすことが可能とし、さらにはルアーが様々な潜行深度にあってもルアーアクションを起こすことのできるルアーを提供すること。【解決手段】ルアー本体２上部に、ルアー１に釣糸を係止しルアーを進行させるための釣糸係止部材４を配設するとともに、水流を受け該水流の抵抗により集魚用の動作をさせるための水流抵抗部材３を釣糸係止部４の進行方向後方に間隔Ｌ１を置いて突設したことを特徴とするルアー１。【選択図】  図１
0003138565.tif 000002
【実用新案登録請求の範囲】
【請求項１】
ルアー本体上部に、ルアーに釣糸を係止しルアーを進行させるための釣糸係止部材を配設するとともに、水流を受け該水流の抵抗により集魚用の動作をさせるための水流抵抗部材を前記釣糸係止部の進行方向後方に間隔を置いて突設したことを特徴とするルアー。
【請求項２】
水流抵抗部材は、水流と対向する水流抵抗面をルアー進行方向前方へ向かって突出する弧状の曲面としたことを特徴とする請求項１記載のルアー。
【請求項３】
水流抵抗部材の一方部分端面に形成された水流抵抗面は、ルアー進行方向後方に傾斜する傾斜面を有するとともに、前記水流抵抗面に連接する他方部分は前記ルアー進行方向後方へ向かうにつれて先細る錐体としたことを特徴とする請求項２記載のルアー。
【考案の詳細な説明】
【技術分野】
【０００１】
本考案は、釣り用のルアーに関し、特に水中における動作特性のよいルアーに関するものである。
【背景技術】
【０００２】
ルアー釣りにおいては、捕獲する魚の種類等に応じて様々な形態や工夫が施されたルアーが考案されている。小魚を常食餌とする大型魚の場合、小魚に似せた形態のルアーが使用され、集魚効果を得るために、ルアーの形や色彩等につき工夫がなされているが、ルアーにおける魚に対するアピールは形態ばかりでなく、ルアーが水中でとるルアーアクションも重要なポイントになる。つまり、ルアーの動きが実際の小魚の泳ぎ方に似るほどに、魚はルアーを餌と錯覚して食い付きがよくなるので、ルアーアクションの有無および相違はルアー釣りにおいてとても重要な要素である。この種の釣り用ルアーにおいては、従来ルアー本体先端部又はルアー本体下部に水流抵抗によりルアーに潜行姿勢をとらせるとともにルアー本体を細かく振動させるウォブリング動作およびルアー本体を短手方向に動かすローリング動作を補助するためのリップ部材を配設してルアーの動きを制御していた。
【０００３】
比較的比重の重いルアーを遠くに飛ばす目的、または、水中でのウォブリング特性、ローリング特性を向上させる目的として水流抵抗部材としてのリップ部材をルアー本体上部に配設したルアーとして、特許文献１に開示されたルアーおよび図１５に示すルアーがある。特許文献１記載のルアーは、メタルジグ等比重が重いタイプのルアーを上下方向を安定させるとともに小魚に似せた動きとするべく、これまでルアー本体先端部又はルアー本体下部に配設されていた平板状で大径のリップ部材をルアー本体上部に配設し、釣糸係止部としてのラインアイをルアーのタイプに応じてリップ部材に直接、またはルアー本体先端に配設したものである。また、図１５に示す従来のルアー７も、魚を模したシンキングミノータイプのルアー７の水中でのウォブリング特性、ローリング特性を良くすることを目的として、円筒状のルアー本体７１上部にリップ部材８を配設するとともに、リップ部材８に釣糸係止部材（ラインアイ）９を当接させて配設したものである。
【特許文献１】特開平１０−１０８５９１号公報
【考案の開示】
【考案が解決しようとする課題】
【０００４】
特許文献１記載の発明は、従来ルアー本体下部の先端に配設されていたプラスチック平板からなるリップ部材をルアー本体上部に配設し、魚の警戒心を少なくさせた点において画期的なものであるが、リップ部材の形状は従来通りの大径な平板でありこのリップ部材に水流を受けることにより比重の重いルアーが浮き上がるとともに上下方向に安定し、水面表層での操作に適したものではあったものの、水中での細かいウォブリングやローリング等変化に富んだルアーアクションが可能ではなかった。
【０００５】
図１５に記載の従来のルアー７は、円筒状のルアー本体７１上部にリップ部材８を配設し、ミノータイプのルアーのウォブリング特性を向上させることができた。しかしながら、図１５に記載の従来のルアー７は、リップ部材８と釣糸係止部材９が当接しているために、水中において釣糸係止部材９と釣糸固定部材としてのスナップとの抵抗によりリップ部材８直前で水流が左右に分けられ、リップ部材８でうまく水流を受けることができない。したがって、リップ部材８の抵抗によって生じるルアー７の微細な動き、特にローリング特性に優れたものとはいえなかった。また、図１５に記載の従来のルアー７は、リップ部材の水流抵抗面はルアー本体７１上面に対して略直角であるため、ルアー７を水底深くまで潜行させ、釣糸の角度がルアー本体７１に対して垂直に近づくにつれて、リップ部材８で水流を受けることのできる抵抗面積が小さくなる。したがって、ルアー７の潜行深度が深くなるにつれて、ウォブリング動作およびローリング動作等のルアーアクションを起こさなくなるという問題があった。
【０００６】
そこで本考案にあっては、ルアーのローリング動作およびウォブリング動作といったルアーアクションを更に小魚に近づけた微細なものとするとともに、特に釣り人がラインを引かない状態であってもルアーアクションを起こすことが可能とし、さらにはルアーが様々な潜行深度にあってもルアーアクションを起こすことのできるルアーを提供することを目的とする。
【課題を解決するための手段】
【０００７】
上記課題を解決するため本考案は、ルアー本体上部に、ルアーに釣糸を係止しルアーを進行させるための釣糸係止部材を配設するとともに、水流を受け該水流の抵抗により集魚用の動作をさせるための水流抵抗部材を前記釣糸係止部の進行方向後方に間隔を置いて突設したことを特徴とする。
【０００８】
水流抵抗部材は、水流と対向する水流抵抗面をルアー進行方向前方へ向かって突出する弧状の曲面としたことを特徴とする。
【０００９】
水流抵抗部材の一方部分端面に形成された水流抵抗面は、ルアー進行方向後方に傾斜する傾斜面を有するとともに、前記水流抵抗面に連接する他方部分は前記ルアー進行方向後方へ向かうにつれて先細る錐体としたことを特徴とする。
【考案の効果】
【００１０】
ルアー本体上部に、ルアーに釣糸を係止しルアーを進行させるための釣糸係止部材を配設するとともに、水流を受け該水流の抵抗により集魚用の動作をさせるための水流抵抗部材を前記釣糸係止部の進行方向後方に間隔を置いて突設したことにより、リップ部材の前方に位置する釣糸固定部材および釣糸係止部材の抵抗により一旦ルアーの左右へと分けられた水流も、釣糸係止部材とリップ部材に間隔があることにより再び中央に終結してリップ部材の水流抵抗面に当たり乱流を起こす。したがって、リップ部材で充分に水流抵抗を受けることが可能であるため、ルアーが確実に潜行姿勢をとるとともに、ルアーが回転方向へと微細に揺れるローリング動作を起こすことが可能である。また、リップ部材が充分な水流抵抗を受けることが可能であるので、たとえ釣り人がラインを引かない状態であってもルアーアクションを起こすことが可能である。よってルアーを小魚の動きに近づけることができるので集魚効果が高まる。
【００１１】
水流抵抗部材は、水流と対向する水流抵抗面をルアー進行方向前方へ向かって突出する弧状の曲面としたことことにより、ルアーの潜行深度が深く、ルアー本体に対する釣糸の角度が垂直に近づいても斜め上方からの水流を水流抵抗面で充分に受けることが可能である。したがって、ルアーが確実に潜行姿勢をとるとともに、水面近くまたは水底近くであっても常時リップ部材でローリング動作等のルアーアクションに充分な水流抵抗を受けることが可能であり、ルアーがいかなる潜行深度であっても容易、かつ、確実にルアーアクションを起こすことが可能である。また、リップ部材が常時充分な水流抵抗を受けることが可能であるので、たとえ釣り人がラインを引かない状態であってもルアーアクションを起こすことが可能である。よってルアーを小魚の動きに近づけることができるので集魚効果が高まる。
【００１２】
水流抵抗部材の一方部分端面に形成された水流抵抗面は、ルアー進行方向後方に傾斜する傾斜面を有するとともに、前記水流抵抗面に連接する他方部分は前記ルアー進行方向後方へ向かうにつれて先細る錐体としたことにより、種々の角度の水流に対応できるように水流抵抗面を広く確保できるとともに、水流をスムーズにルアー後方へと流すことができ、ルアーがいかなる潜行深度であっても容易、かつ、確実にルアーアクションを起こすことが可能である。よってルアーを小魚の動きに近づけることができるので、さらに集魚効果が高まる。
【考案を実施するための最良の形態】
【００１３】
図１乃至図５に、本願考案の実施の形態に係るルアー１を示し、図６乃至図１４に図１乃至図５に示すルアー１の使用状態とルアーアクションを示す。
【００１４】
図１は、ルアー１の側面図、図２は平面図、図３はルアー１の進行方向前方からの正面図、図４は背面図である。ルアー１は、小魚を模した外観形状となるように扁平させた略円筒形状のルアー本体２、水流抵抗によりルアー１に潜行姿勢をとらせるとともにルアー１を細かく振動させるウォブリング動作およびルアー１を回転方向に動作させるローリング動作等集魚用の動作をさせるための水流抵抗部材としてのリップ部材３、釣糸係止部材（ラインアイ）４、釣針係止部材２２および２３から形成されており、図１において小魚の顔を模した側のルアー前端２１側が進行方向前方、他端の釣針係止部２２を配設したルアー後端２５側が進行方向後方であり、釣糸係止部材４を基点にルアー１は進行し、水流は進行方向前方から後方へと流れる。
【００１５】
ルアー本体２の上部には、環状の釣糸係止部材４が配設されている。ルアー１における釣糸係止部材４は、ルアー本体上面２４の中心軸上であって、ルアー１においては、ルアー本体２のやや前方寄りに取り付けられている。ルアーは釣糸係止部材４を基点に進行するようになっている。
【００１６】
ルアー本体２の上部には、リップ部材３が配設されている。リップ部材３は、水流に対向する水流抵抗面３１をルアー進行方向前方に向けてルアー本体上面２４の釣糸係止部材４の下流の進行方向後方に間隔Ｌ１をおいて突設されている。リップ部材３は、ルアー本体２の上面２３中心軸上の何処に配設してもよいが、ルアー１全長の略中間の距離Ｌ２に配置することがルアー１のローリング特性、ウォブリング特性を最大限に発揮することができ、好適である。また、本実施の形態において、リップ部材３と釣糸係止部材４の間隔Ｌ１はリップ部材３の高さと同程度である。
【００１７】
ルアー本体３上部に配設されるリップ部材３は、水流抵抗面３１がルアー前端２１側進行方向前方すなわち釣糸係止部材４側へ向かって突出する弧状の曲面に形成されている。したがって後述するように、釣糸５の角度が垂直に近づき、ルアー１が斜め前方へ進み上方から水流を受けるときにも広い面積で水流抵抗を受けることができるようになっている。尚、本実施の形態のルアー１における水流抵抗面３１のラウンド角は、ほぼ一定であるが、リップ部材基部３４付近は垂直に近く形成し、リップ部材頂部３５付近をラウンドさせてもよい。
【００１８】
また、リップ部材３は、小魚のヒレを模すように、リップ部材基部３４からリップ部材頂部３５が後端２５側へ傾斜し水流抵抗面３１にルアー進行方向後方すなわちルアー後端２５側に傾斜する傾斜面を形成するとともに、リップ部材３の一方部分端面に形成された水流抵抗面３１に連接する他方部分をリップ材背面３２としルアー後端２５側に向かうにつれて先細る錐体に形成されている。本実施の形態のルアー１においては、リップ部材３は、側方向から扁平させ下端を切り欠いた略円錐体を横倒しした形状であって、その略円形の底面が弧状の曲面に形成された水流抵抗面３１となるとともに、錐体頂点側がルアー後端２５側に位置しリップ部材背面３２となり、水流をスムーズにルアー１後方へと流すように形成されている。
【００１９】
さらに、図５の模式図に実線で示すように、リップ部材３のリップ部材縁部３３およびリップ部材頂部３５付近を、ルアー１進行方向前方に向かって突出する弧状の曲面に形成するとともに、破線で示すように水流抵抗面３１基部内方をリップ部材内側へ凹湾曲形成し、リップ部材３をへら状にしてもよい。このように形成することにより、リップ部材頂部３５付近には水流を受ける面を確保しながらも、リップ部材縁部３３にはエッジが形成され、水流に更なる乱流を起こすことが可能となり、ルアー１のローリング動作およびウォブリング動作を微細、かつ、シャープにすることが可能になる。
【００２０】
本実施の形態におけるルアー１は、ルアー本体２をルアー前端２１からリップ部材３配設位置に向かって膨らみを有するとともに、リップ部材３配設位置からルアー後端２５に向かって扁平幅細となる筒状体としている。このような形状としたことで、ルアー１がローリング動作等のルアーアクションを起こしたとき、幅細、かつ、軽量で水流抵抗の少ないルアー後端２５が微細に振られ、ルアー１の動きは小魚が尾を振る動作により近づく。
【００２１】
本実施の形態におけるルアー１は、最も一般的な全長約８０mmのルアーであって、このルアー１におけるリップ部材３の高さは０．８ｍｍ〜１０ｍｍ、傾斜角θは約２０度〜２５度、水流抵抗面３１のラウンドはＲ８〜１０程度の割合がルアー１のローリング特性、ウォブリング特性を最大限に発揮することができ、最も好適である。尚、捕獲する魚により、ルアー１の全長、形状等も当然のことながら異なり、それに応じてリップ部材３の高さ、傾斜角、水流抵抗面３１のラウンド角も異なるものであり、ルアー本体２およびリップ部材３の形状は上述したものに限られるものではない。
【００２２】
次に、図６乃至図１４によりルアー１の使用状態および動作を説明する。図６乃至図８に示すように、釣糸５の先端には環状の釣糸固定部材（スナップ）６が固定されている。この釣糸固定部材６を、ルアー１の釣糸係止部材４に係止することにより、釣糸５にルアー１を固定可能になっている。
【００２３】
ルアー１を水中へ投げ入れたとき、釣糸５は、釣糸係止部材４を基点としてルアー１の前方に向かって引かれ、図６に示すように水流は、ルアー前端２１からルアー後端２５方向へと流れる。このとき、矢印で示す水流は、釣糸固定部材６および釣糸係止部材４の抵抗によりリップ部材３の前方で一旦ルアーの左右へと分けられる、しかしながら、釣糸係止部材４とリップ部材３との間には上述したように間隔が設けてあるために、釣糸固定部材６および釣糸係止部材４により遮られていた水流は再びリップ部材３に集まり、水流抵抗面３１に当接する。したがって、リップ部材３は充分な水流を受けることができ水流抵抗が起こるので、ルアー１は確実に潜行姿勢をとるとともに、ルアー１短手方向へと微細に回転動作するローリング動作を起こすのである。よって、釣り人がラインを引かない状態であってもルアーアクションを起こすことが可能である。
【００２４】
また、図９に示すように、ルアー１の潜行深度によってルアー本体２に対する釣糸５の角度は変化する。すなわち、ルアー１が水面から水底へと潜行するにつれて釣糸５は水平から垂直まで５ａ〜５ｄの角度をとり、この潜行深度は常時変化するものであるため、ルアー本体２に対する釣糸５の角度は常時変化するとともに水流を受ける角度も変化するのである。
【００２５】
図１０に示すように、ルアー１が水面に近くに位置し釣糸５の角度が浅い５ａのときには、水平方向からの水流を水流抵抗面３１正面で受けることが可能で水流を受ける面Ｓ１は広く確保することができる。図１１に示すように、ルアー１が徐々に潜行し、釣糸５の角度がやや垂直に近づいた５ｂのときには、斜め前方からの水流を受ける面はＳ２となる。図１２に示すように、ルアー１が更に潜行し、釣糸５の角度が垂直に近づく５ｃのとき、従来のようにルアー本体２に対して垂直であった水流抵抗面では斜め上方からの水流を受けにくかった。しかしながら、水流抵抗面３１をルアー１前端に向かって弧状に突出形成したルアー１では、斜め上方の深い角度からの水流に対しても水流を受ける面Ｓ３を確保することができルアーアクションに充分な水流を受けることができる。さらに、図１３に示すように、ルアー１が水底近くまで潜行したとき釣糸５の角度はルアー本体２に対して垂直に近い５ｄの状態となる、このときも水流抵抗面３１を弧状に突出形成し、かつ、水流抵抗面３１を後傾させた本考案のルアー１では、リップ部材頂部３５付近に水流を受ける面Ｓ４を確保することができ、上方からの水流を受けることができるため、ルアーアクションに充分な水流を受けることができる。したがって、ルアー１は、釣糸係止部材４とリップ部材３が間隔を置いて配設されていることと相俟って、いかなる潜行深度にあるときにも好適なルアーアクションを起こすことが可能となり、常時高い集魚効果を発揮することができるのである。
【図面の簡単な説明】
【００２６】
【図１】本願考案の実施の形態を示すルアー
【図２】図１に示すルアーの平面図。
【図３】図１にルアーの進行方向前方からの正面図。
【図４】図１に示すルアーの背面図。
【図５】図１に示すルアーのリップ部材の拡大模式図。
【図６】図１に示すルアーの使用状態を示す平面図。
【図７】図１に示すルアーの使用状態を示す側面図。
【図８】図１に示すルアーの使用状態を示す正面図。
【図９】図１に示すルアーの使用状態を示す側面図。
【図１０】図１に示すルアーの使用状態を示す側面図。
【図１１】図１に示すルアーの使用状態を示す側面図。
【図１２】図１に示すルアーの使用状態を示す側面図。
【図１３】図１に示すルアーの使用状態を示す側面図。
【図１４】図１に示すルアーの側面図。
【図１５】従来のルアーを示す側面図。
【符号の説明】
【００２７】
１    ルアー
２    ルアー本体
２１  ルアー前端
２２  釣針係止部材
２３  釣針係止部材
２４  ルアー本体上面
２５  ルアー後端
３    リップ部材
３１  水流抵抗面
３２  リップ部材背面
３３  リップ部材縁部
３４  リップ部材基部
３５  リップ部材頂部
４    釣糸係止部材（ラインアイ）
５    釣糸
６    釣糸固定部材（スナップ）
７    ルアー
８    リップ部材
９    釣糸係止部材（ラインアイ）
【図１】
0003138565.tif 000003
【図２】
0003138565.tif 000004
【図３】
0003138565.tif 000005
【図４】
0003138565.tif 000006
【図５】
0003138565.tif 000007
【図６】
0003138565.tif 000008
【図７】
0003138565.tif 000009
【図８】
0003138565.tif 000010
【図９】
0003138565.tif 000011
【図１０】
0003138565.tif 000012
【図１１】
0003138565.tif 000013
【図１２】
0003138565.tif 000014
【図１３】
0003138565.tif 000015
【図１４】
0003138565.tif 000016
【図１５】
0003138565.tif 000017